(57)【要約】【課題】  治療者が速やかにＸ線撮影を行うことができ、患者の苦痛を軽減させることができる口内法Ｘ線撮影用補助具を提供することである。【解決手段】  Ｘ線発生器４のＸ線照射部４０に着脱自在に装着されるアダプタ部１０と、前記アダプタ部１０からＸ線照射方向へ向けて延出する支持アーム２０と、前記支持アーム２０の先端部に設けられてＸ線発生器から照射されるＸ線を面受するようにＸ線フィルムを着脱自在に保持するフィルムホルダ３０とを備えた口内法Ｘ線撮影用補助具１であって、前記アダプタ部１０のＸ線照射部４０に装着する部位と、支持アーム２０を設置する部位とを、互いに回動可能にする回動機構３を備えた。【選択図】  図１
2006000309.tif 000002
【特許請求の範囲】
【請求項１】
Ｘ線発生器のＸ線照射部に着脱自在に装着されるアダプタ部と、前記アダプタ部からＸ線照射方向へ向けて延出する支持アームと、前記支持アームの先端部に設けられてＸ線発生器から照射されるＸ線を面受するようにＸ線フィルムを着脱自在に保持するフィルムホルダとを備えた口内法Ｘ線撮影用補助具において、
前記アダプタ部のＸ線照射部に装着する部位と、支持アームを設置する部位とを、互いに回動可能にする回動機構を備えたことを特徴とする口内法Ｘ線撮影用補助具。
【請求項２】
前記回動機構に、所定位置での停止を容易にするストッパを設けた請求項１に記載の口内法Ｘ線撮影用補助具。
【発明の詳細な説明】
【技術分野】
【０００１】
本発明は、歯科医療における口内法Ｘ線撮影用補助具に関するものである。
【背景技術】
【０００２】
近時の高齢化社会においては、自宅や病院で寝たきりの老人が増加している。また、体の自由がきかない寝たきりの重度障害者も多い。このような寝たきりの老人や重度障害者の中には歯科疾患を抱える人が多く、歯科医院への通院が容易でないため訪問診療などに頼らざるを得ない。このような歯科疾患を有する寝たきり老人や重度障害者の治療に際しては、Ｘ線撮影の必要性は高く、抜歯や義歯の製作、調整時にもＸ線撮影は必須である。このような必然性から、携帯型の口内法Ｘ線撮影用補助具が開発され、使用されている。また、歯科医院（治療室）に備えた据置型の口内法Ｘ線撮影用補助具の利便性の改善も望まれている。
【０００３】
このような口内法Ｘ線撮影用補助具としては、本件の出願人の出願である特許文献１等が存在する。図８は、特許文献１の口内法Ｘ線撮影用補助具１００の斜視図である。図８に示すように、口内法Ｘ線撮影用補助具１００は、Ｘ線発生器のＸ線照射部（図示せず）を挿入する開口９６が設けてあるアダプタ部９０と、固定金具９５と固定つまみ９４とでアダプタ部９０に固定される支持アーム９１と、支持アーム９１の先端に固着されるフィルムホルダ９２とで構成されている。
【０００４】
アダプタ部９０には、固定つまみ９３が設けてある。図８に示すように、固定つまみ９３はアダプタ部９０を貫通しており、その先端部９３ａでＸ線発生器のＸ線照射部（図示せず）を押圧することにより、Ｘ線照射部に対してアダプタ部９０を固定することができるようになっている。
【０００５】
ところで、治療者はＸ線発生器を手で保持するが、鮮明なＸ線写真を撮影するためには、安定した保持し易い位置で保持する必要がある。従って、患者の口内の撮影部位を変更する際に、その安定した保持し易い姿勢を維持するためには、アダプタ部９０に対するＸ線照射部の円周方向の位置を変更する必要がある。
【０００６】
特許文献１の口内法Ｘ線撮影用補助具１００の構成は、固定つまみ９３を緩め、Ｘ線照射部に対してアダプタ部９０を所望する位置まで回動させた後に、再度固定つまみ９３を締め付けて、Ｘ線照射部にアダプタ部９０を固定する構成となっている。
【特許文献１】特開２００３−１９０１５０公報
【発明の開示】
【発明が解決しようとする課題】
【０００７】
ところで、特に携帯型の口内法Ｘ線撮影用補助具１００においては、治療者の一方の手は既にＸ線照射器で塞がっており、治療者は、他方の手だけでアダプタ部９０（口内法Ｘ線撮影用補助具１００）を操作しなければならない。また、撮影時、患者の口内にはＸ線フィルムを装填したフィルムホルダ９２が挿入されており、患者に苦痛を感じさせる時間を短くするためにも、Ｘ線撮影は可能な限り速やかに行う必要がある。据置型の口内法Ｘ線撮影用補助具においても、撮影を速やかに行わなければならない事情は同じである。
【０００８】
そこで本発明は、治療者が速やかにＸ線撮影を行うことができ、患者の苦痛を軽減させることができる操作し易い口内法Ｘ線撮影用補助具を提供することを目的としている。
【課題を解決するための手段】
【０００９】
上記課題を解決するため、請求項１の発明では、Ｘ線発生器のＸ線照射部に着脱自在に装着されるアダプタ部と、前記アダプタ部からＸ線照射方向へ向けて延出する支持アームと、前記支持アームの先端部に設けられてＸ線発生器から照射されるＸ線を面受するようにＸ線フィルムを着脱自在に保持するフィルムホルダとを備えた口内法Ｘ線撮影用補助具において、前記アダプタ部のＸ線照射部に装着する部位と、支持アームを設置する部位とを、互いに回動可能にする回動機構を備えるようにした。
【００１０】
請求項２の発明では、請求項１の発明において、前記回動機構に、所定位置での停止を容易にするストッパを設けた。
【００１１】
ストッパは、回動機構の可動部側又は停止部側に突起を設け、停止部側又は可動部側の突起に対応する箇所に摺動溝を設け、さらに摺動溝の所定位置に穴又はくぼみを設けておき、突起が摺動溝を摺動して穴又はくぼみに嵌まった際に、回動機構の回動に抵抗が生じるように構成することができる。
【発明の効果】
【００１２】
請求項１の発明では、アダプタ部のＸ線照射部に装着する部位（停止部側）と、支持アームを設置する部位（可動部側）とを、互いに回動可能にする回動機構を備えたので、治療者（撮影者）は、患者の口内の複数箇所のＸ線撮影を、速やかに行うことができる。また、請求項１の発明を実施することにより、口内のＸ線撮影を速やかに行うことができるので、患者の苦痛を緩和することができる。
【００１３】
一旦、アダプタ部にＸ線照射部を固定すると、一通りの撮影が完了するまで固定を解除する必要がなく、操作性が飛躍的に向上するので、治療者は、速やかにフィルムホルダを所望する適切な撮影位置まで片手で容易に移動させることができる。つまり、従来は、全顎において前歯部用（上下別の２種類）及び臼歯部用（上下左右別の４種類）の口内法Ｘ線撮影補助具を用意し、撮影部位に応じてこれらの使い分けが必要であったが、請求項１を実施した口内法Ｘ線撮影補助具では、上述した回動機構を備えたことにより簡単に目的の位置での撮影をすることができる。
【００１４】
請求項２の発明では、回動機構に、所定位置での停止を容易にするストッパを設けたので、Ｘ線撮影時において、所望する位置に確実に位置合わせすることができ、手ぶれを起こしにくく良好なＸ線写真を撮影することができる。
【発明を実施するための最良の形態】
【００１５】
図１は、本発明を実施した口内法Ｘ線撮影用補助具１（以下、補助具１と呼ぶ。）の縦断側面図である。図１に示すように補助具１は、Ｘ線発生器４のＸ線照射部４０に装着するアダプタ部１０と、Ｘ線フィルムを装填するフィルムホルダ３０、及びアダプタ部１０に対してフィルムホルダ３０を一定の間隔を置いて保持する支持アーム２０とで構成されている。
【００１６】
図２は、アダプタ部１０の分解側面図である。図２に示すようにアダプタ部１０は、アダプタ本体１１、回動体３及び環状固定部材５等で構成されており、これら全てが同心の環状形状を呈している。
【００１７】
アダプタ本体１１は大径部１１ｄと小径部１１ｅとを有しており、両者の間には段１１ｆが形成されている。大径部１１ｄには、ねじ孔１１ｃが設けてある。ねじ孔１１ｃには固定つまみ１３がねじ込まれ、固定つまみ１３の先端部１３ａは、開口１１ａ内に侵入することができるようになっている。また、小径部１１ｅは、回動体３の内周面３ｄの内周面３ｄよりも若干小径であり、小径部１１ｅの外周側には、回動体３を配置することができるようになっている。さらに小径部１１ｅ側の端面には、ねじ穴１１ｂが設けてある。
【００１８】
図３は、アダプタ部１０の正面図である。図３に示すように、回動体３の内周面３ｄには、詳しくは後述する２つの突起７が設けてある。２つの突起７は、内周面３ｄの互いに対向する位置に配置されている。また、図３に示すように、回動体３の外周面３ｃ上には、軸方向（図３において紙面と直角方向）に伸びる溝３ｂが設けてある。また、溝３ｂの両側にはねじ穴３ａが設けてある。
【００１９】
図３に示すように、回動体３には、貫通孔３ｇが形成されている。貫通孔３ｇの外周側にはねじ部が形成されている。貫通孔３ｇの内周側には筒状支持部材７ａが圧入されている。筒状支持部材７ａの回動体３側の端部は、筒の半径を狭めるようにかしめられている。
【００２０】
この筒状支持部材７ａの中には剛性を有する球体７ｄが設置されている。さらに貫通孔３ｇのねじ部には、円板状の支持部材７ｃが螺合している。球体７ｄと支持部材７ｃの間には圧縮ばね７ｂが配置されている。そのため球体７ｄは、圧縮ばね７ｂの弾性力により、筒状支持部材７ａのかしめられた端部側へ常時押圧されている。このようにして球体７ｄが回動体３の内周面３ｄから突出することにより、突起７は形成されている。アダプタ本体１１の小径部１１ｅは、圧縮ばね７ｂの弾性力に抗して突起７（球体７ｄ）を押圧し、圧縮ばね７ｂを若干縮める。
【００２１】
回動体３がアダプタ本体１１に対して回動する際には、半径方向内方へ付勢された球体７ｄを備えた突起が、アダプタ本体１１の小径部１１ｅ上を摺動する。突起７が、小径部１１ｅ上に設けたくぼみ１１ｇに嵌まると、アダプタ本体１１に対する回動抵抗が生じる。このくぼみ１１ｇの位置は、患者の口内にフィルムホルダ３０（図１）を配置するのに適した位置で停止させることができるように、予め設定されている。このようにしてアダプタ本体１１（停止部側）に対する回動体３（可動部側）の回動のストッパが構成されている。
【００２２】
図３の例では、くぼみ１１ｇ（停止位置）は、等間隔の８箇所に設けてあり、この８箇所のくぼみ１１ｇに２つの突起７が同時に嵌まる。そのため、回動体３の安定した停止位置は、４箇所存在する。アダプタ本体１１及び球体７ｄの素材としては、耐摩耗性に優れた材質（ステンレス鋼等）を採用するのが好ましい。
【００２３】
図２に示すように、アダプタ本体１１に回動体３を固定するために、環状固定部材５を使用する。環状固定部材５には孔５ａが円周上の４箇所に設けてある。孔５ａは、図３に示すアダプタ本体１１のねじ穴１１ｂの位置と一致している。
【００２４】
図２に示すように、ねじ６を孔５ａに通し、さらにねじ穴１１ｂに螺合させることにより環状固定部材５をアダプタ本体１１に固着する。その結果、アダプタ本体１１には回動体３が装着されるようになっている。回動体３の前面３ｅはアダプタ本体１１の段１１ｆと対向しており、後面３ｆは環状固定部材５と対向している。回動体３は、環状固定部材５と段１１ｆの間で、前後方向に若干の遊びを残してアダプタ本体１１に取り付けられている。すなわち、回動体３の幅Ｗ１は、アダプタ本体１１の小径部１１ｅの幅Ｗ２よりも若干小さくなるように設定されている。
【００２５】
図３からわかるように、２つのねじ穴３ａには、ねじ８が螺合される。ねじ８は、固定金具１４に設けた貫通孔１４ｂ（図２）を貫通し、さらにねじ穴３ａに螺合して固定金具１４を回動体３に固着させる。また、固定金具１４には、ねじ孔１４ａ（図２）が設けてある。このねじ孔１４ａには、上部にねじ部を備えた固定つまみ１２が螺合している。
【００２６】
固定つまみ１２のねじ部は、ねじ孔１４ａを貫通することができる長さであり、ねじ込む深さを調整することにより、溝３ｂ内へ突出させたり、ねじ孔１４ａ内に収容させたりすることができるようになっている。溝３ｂと固定金具１４とで形成した空間には、支持アーム２０（図１）が配置される。支持アーム２０は、固定金具１４にねじ込まれた固定つまみ１２のねじ部の先端部分に押圧されて、アダプタ部１０に固定されるようになっている。
【００２７】
図４は、上述した手順により組み立てられた補助具１の斜視図である。上述したような構成により、アダプタ本体１１と回動体３とは互いに回動可能であり、図３に示す突起７を、あるくぼみ１１ｇ（図３）から隣のくぼみ１１ｇへ移動させると、アダプタ本体１１と回動体３の位置関係は、図５に示すようになる。図５では、支持アーム２０と一体の回動体３を保持して、アダプタ本体１１の方を回動させた状態を示しているが、実際には、アダプタ本体１１の開口１１ａ内に、図１において二点鎖線で示すＸ線照射器４を装着して、Ｘ線照射器４を保持し、回動体３の方を回動させる。
【００２８】
図６は、補助具１をＸ線照射器４に装着した状態を示す側面図である。Ｘ線照射器４とフィルムホルダ３０との距離は、アダプタ部１０に対する支持アーム２０の固定位置で調整する。支持アーム２０は、固定つまみ１２を緩めることにより矢印方向に移動させることができ、所望する位置まで移動させた後に、固定つまみ１２を締め付けることにより、アダプタ部１０に固定することができる。Ｘ線照射器４は、固定つまみ１３を締め付けることにより、アダプタ部１０を固着させることができ、固定つまみ１３を緩めると、アダプタ部１０を取り外すことができるようになっている。
【００２９】
患者の口内の撮影箇所を変更する際には、治療者は片手（例えば左手）でＸ線照射器４を保持した状態、つまり、アダプタ本体１１（停止部側）を停止させた状態で、もう一方の手（右手）で回動体３（可動部側）を回動させ、図３に示す突起７が、いずれかのくぼみ１１ｇ（フィルムホルダ３０が撮影箇所に適切に配置されるような位置にあるくぼみ１１ｇ）に嵌まった状態でＸ線撮影を行う。
【００３０】
図１〜図６では、アダプタ部１０の開口１１ａは、円柱状の貫通孔とした例を示したが、開口１１ａは、Ｘ線発生器４のＸ線照射部４０の外形に応じて種々な形状に形成することができる。また、アダプタ本体１１の小径部１１ｅ（図２）に、突起７を摺動させる溝を形成し、溝の途中にくぼみ１１ｇを形成するようにしてもよい。このような溝をアダプタ本体１１の小径部１１ｅに形成すると、アダプタ本体１１と回動体３の前後方向の位置合わせが容易になり、突起７とくぼみ１１ｇとが軸方向（前後方向）にずれて係合しなくなるという事態を回避することができる。
【００３１】
くぼみ１１ｇは、アダプタ本体１１の小径部１１ｅの円周方向に任意の間隔で設けることができる。治療者によってＸ線撮影を行い易い位置（アダプタ本体１１と回動体３の位置関係）が異なる場合も考えられるので、短いピッチで多数設けるようにしてもよい。また、突起７をアダプタ本体１１の小径部１１ｅ側に設け、くぼみ１１ｇを回動体３側に設けるようにしてストッパを構成しても差し支えない。
【００３２】
図４及び図５に示すように、上述した口内法Ｘ線撮影用補助具１は、Ｘ線照射部４０に装着する部位に対して、支持アーム２０を設置する部位を回動させても、常にＸ線照射部４０の中心線３５が、フィルムホルダ３０の支点（中心）３０ａを通るため、口内の上下左右を、良好にＸ線撮影することができる。つまり、全顎において、前歯部用（上下別の２種類）及び臼歯部用（上下左右別の４種類）の口内法Ｘ線撮影補助具を用意する必要がなく、１つの口内法Ｘ線補助具１で、上下左右の様々な撮影部位を良好に撮影することができる。また、支点３０ａを中心にフィルムホルダ３０を回動させて、Ｘ線フィルムを患者の口内に適した向きに配置しても、中心線３５が常に支点３０ａを通過するので、良好な撮影を行うことができる。
【００３３】
図７（ａ）は、図３とは別の形態のアダプタ部１０ａの縦断正面図であり、図７（ｂ）は、図７（ａ）のアダプタ部１０ａの分解側面図である。図３に示す例では、回動体３とアダプタ本体１１との間に回動抵抗を生じさせるために突起７とくぼみ１１ｇとを設ける構成を示したが、突起７とくぼみ１１ｇとを設ける代わりに、図７（ａ）又は（ｂ）に示すように、ねじ６のねじ穴１１ｂへの螺合加減（ねじ込み加減）で、回動体３とアダプタ本体１１との間に回動抵抗を生じさせるようにしてストッパを構成してもよい。
【００３４】
すなわち、図２のアダプタ１０の形態とは逆に、図７（ｂ）に示す回動体３の幅Ｗ１をアダプタ本体１１の小径部１１ｅの幅Ｗ２よりも若干大きめに設定しておき、ねじ６をねじ穴１１ｂにねじ込んで環状固定部材５を回動体３の後面３ｆに当接させ、また、回動体３の前面３ｅとアダプタ本体１１の段１１ｆとを当接させる。その結果、Ｘ線撮影時に治療者（撮影者）は、手で若干力を加えると回動体３を回動させることができ、手の力を抜いた任意の位置で回動体３の回動を停止させることができる。
【００３５】
アダプタ１０をこのように構成すると、突起７とくぼみ１１ｇとを設けなくても、アダプタ本体１１に対して回動体３を３６０度に渡って任意の位置で固定することができる。アダプタ本体１１及び回動体３の材質としては、金属やプラスチック及び樹脂等を選定することができる。
【００３６】
請求項１及び２を実施した口内法Ｘ線撮影用補助具１は、携帯型及び据置型のいずれの形態にも採用することができる。従って、往診時に治療者が携帯型の口内法Ｘ線撮影用補助具１を所持したり、治療室に据置型の口内法Ｘ線撮影用補助具１を常設して使用することもできる。もちろん、治療室において、携帯型の口内法Ｘ線撮影用補助具１を使用することもできる。
【図面の簡単な説明】
【００３７】
【図１】本発明を実施した口内法Ｘ線撮影用補助具の縦断側面図である。
【図２】アダプタ部の分解側面図である。
【図３】アダプタ部の縦断正面図である。
【図４】口内法Ｘ線撮影用補助具の斜視図である。
【図５】図４の口内法Ｘ線撮影用補助具において、アダプタ本体を回動させた状態を示す斜視図である。
【図６】本発明を実施した口内法Ｘ線撮影用補助具をＸ線照射器に装着した状態を示す側面図である。
【図７】（ａ）は、本発明を実施した図３とは別の口内法Ｘ線撮影用補助具のアダプタ部の縦断正面図である。（ｂ）は、（ａ）のアダプタ部の分解側面図である。
【図８】特許文献１の口内法Ｘ線撮影用補助具の斜視図である。
【符号の説明】
【００３８】
１    口内法Ｘ線撮影用補助具
２    環状体
３    回動体（回動機構・支持アームを設置する部位・可動部側）
４    Ｘ線発生器
５    環状固定部材
６    ねじ
７    突起（ストッパ）
１０  アダプタ部
１１  アダプタ本体（Ｘ線照射部に装着する部位・停止部側）
１１ｂ  ねじ穴
１１ｇ  くぼみ（ストッパ）
２０  支持アーム
３０  フィルムホルダ
４０  Ｘ線照射部
【図１】
2006000309.tif 000003
【図２】
2006000309.tif 000004
【図３】
2006000309.tif 000005
【図４】
2006000309.tif 000006
【図５】
2006000309.tif 000007
【図６】
2006000309.tif 000008
【図７】
2006000309.tif 000009
【図８】
2006000309.tif 000010